(57)【要約】【課題】  小型及び軽量化ができる車両の人員拘束装置用ガス発生器の提供。【解決手段】  筒状フィルタ20は、下端面がハウジング11内に位置するクロージャシェル13開口部の環状端面13dに圧接され、上端面21がディフューザシェル12の上部環状斜面14に圧接され、筒状フィルタ20とガス排出口17との間には間隙27が設けられている。クロージャシェル13により筒状フィルタ20が支持されているので、別途支持部材を用いる必要がない。【選択図】  図１
2007253666.tif 000002
【特許請求の範囲】
【請求項１】
複数のガス排出口を周壁部に有する略カップ状のディフューザシェルと、該ディフューザシェルと組み合わせて外殻容器を形成する略カップ状のクロージャシェルとからなるハウジング内部に、点火装置と、該点火装置の作動により燃焼して燃焼ガスを発生させるガス発生剤と、該ガス発生剤から発生する燃焼ガスの浄化・冷却を行う略筒状のフィルタを有しているガス発生器であり、
前記ハウジングが、ディフューザシェル開口部側の内側周面の一部に、前記クロージャシェル開口部側の外側周面の一部が当接されるようにして嵌め込まれて一体化されており、
前記フィルタが、前記ディフューザシェルの天井面に一端面が当接され、少なくとも前記クロージャシェル開口部の環状端面に他端面が当接されることで支持されており、
前記ディフューザシェルのガス排出口を有する周壁部と前記フィルタの外周面の間に環状空間を有している、車両の人員拘束装置用ガス発生器。
【請求項２】
前記フィルタが、前記ディフューザシェルの天井面に一端面が当接され、前記ディフューザシェル開口部側の内側周面、前記クロージャシェル開口部の環状端面及び前記クロージャシェル開口部側の内側周面の３つの面に他端面が当接されることで支持されており、
前記ディフューザシェルのガス排出口を有する周壁部と前記フィルタの外周面の間に環状空間を有している、請求項１記載の車両の人員拘束装置用ガス発生器。
【請求項３】
前記フィルタが、前記ディフューザシェルの天井面と前記クロージャシェル開口部の環状端面により、上下方向から圧縮されている、請求項１又は２記載の車両の人員拘束装置用ガス発生器。
【請求項４】
複数のガス排出口を周壁部に有する略カップ状のディフューザシェルと、該ディフューザシェルと組み合わせて外殻容器を形成する略カップ状のクロージャシェルとからなるハウジング内部に、点火装置と、該点火装置の作動により燃焼して燃焼ガスを発生させるガス発生剤と、該ガス発生剤から発生する燃焼ガスの浄化・冷却を行う略筒状のフィルタを有しているガス発生器であり、
前記ハウジングが、ディフューザシェル開口部側の内側周面の一部に、前記クロージャシェル開口部側の外側周面の一部が当接されるようにして嵌め込まれて一体化され、前記ハウジング内には、前記クロージャシェル開口部の環状端面に少なくとも一つの環状面が支持された環状リテーナが配置されており、
前記フィルタが、前記ディフューザシェルの天井面に一端面が当接され、前記環状リテーナの別の環状面に他端面が当接されることで支持されており、
前記ディフューザシェルのガス排出口を有する周壁部と前記フィルタの外周面の間に環状空間を有している、車両の人員拘束装置用ガス発生器。
【請求項５】
前記環状リテーナが、外側環状面と、前記外側環状面とは段差が付けられて形成された内側環状面を有し、前記外側環状面が前記クロージャシェル開口部の環状端面上に支持されており、少なくとも前記内側環状面上に前記フィルタの他端面が支持されている、請求項４記載の車両の人員拘束装置用ガス発生器。
【請求項６】
前記フィルタが、前記ディフューザシェルの天井面と前記環状リテーナにより、上下方向から圧縮されている、請求項４又は５記載の車両の人員拘束装置用ガス発生器。
【発明の詳細な説明】
【技術分野】
【０００１】
本発明は、車両の人員拘束装置用ガス発生器に関する。
【背景技術】
【０００２】
車両の人員拘束用ガス発生器は、取り付けスペース上、小型・軽量化の必要があり、特に固形ガス発生剤を使用するパイロ式のガス発生器では、ガス発生剤の充填量が小型・軽量化に影響を与える。
【０００３】
ガス発生器に充填する固定ガス発生剤量は、組み合わせるエアバッグの容量によって増減され、助手席用のエアバッグになると容量が大きいことから、固定ガス発生剤の充填量も多くなる。そして、固定ガス発生剤の充填量が多くなると、発生する燃焼ガスの冷却・浄化のために用いるフィルタ量も多くなり、ガス発生器の小型・軽量化が難しい。
【０００４】
特許文献１では、イニシエータシェル１とクロージャシェル２からなるハウジング３内に燃焼室５が形成され、ガス発生剤４が配置され、ガス発生剤４を取り囲むように、フィルタ部材６が配置されている。そして、イニシエータシェル１とクロージャシェル２は、クロージャシェル２の筒部９とフランジ部１２との境界部分に形成された環状の切り欠き部に、イニシエータシェル１の筒部１３の先端部が嵌め込まれて一体化されている。
【０００５】
フィルタ部材６は、イニシエータシェル１とクロージャシェル２の両方にまたがって配置されており、上半分はクロージャシェル２の周壁部内周面と間隔をあけて配置されているが、下半分はイニシエータシェル１周壁部内周面に接触した状態である。このため、フィルタの下半分は燃焼ガスの通過が悪く、十分に濾過及び冷却機能が発揮されていないため、フィルタ量からすると濾過及び冷却の効率が悪い。
【特許文献１】特開２００５−５３３８２号公報
【発明の開示】
【発明が解決しようとする課題】
【０００６】
特許文献１では、フィルタがイニシエータシェル１とクロージャシェル２の両方にまたがって配置されているが、主として濾過及び冷却機能を発揮しているのはイニシエータシェル１側にある半分程度であり、このように濾過及び冷却機能の発現に充分に利用されないフィルタの存在が小型化や軽量化を妨げる要因になっている。
【０００７】
本発明は、ガス発生剤のフィルタの取付構造を改変することにより、少ないフィルタ量にて、充分な濾過及び冷却効率が発揮される車両の人員拘束装置用ガス発生器を提供することを課題とする。
【課題を解決するための手段】
【０００８】
〔請求項１〕
本発明は、課題の解決手段として、
複数のガス排出口を周壁部に有する略カップ状のディフューザシェルと、該ディフューザシェルと組み合わせて外殻容器を形成する略カップ状のクロージャシェルとからなるハウジング内部に、点火装置と、該点火装置の作動により燃焼して燃焼ガスを発生させるガス発生剤と、該ガス発生剤から発生する燃焼ガスの浄化・冷却を行う略筒状のフィルタを有しているガス発生器であり、
前記ハウジングが、ディフューザシェル開口部側の内側周面の一部に、前記クロージャシェル開口部側の外側周面の一部が当接されるようにして嵌め込まれて一体化されており、
前記フィルタが、前記ディフューザシェルの天井面に一端面が当接され、少なくとも前記クロージャシェル開口部の環状端面に他端面が当接されることで支持されており、
前記ディフューザシェルのガス排出口を有する周壁部と前記フィルタの外周面の間に環状空間を有している、車両の人員拘束装置用ガス発生器を提供する。
【０００９】
本発明で用いるディフューザシェルとクロージャシェルは、略カップ状のものであり、幅方向及び軸方向の断面形状は特に制限されず、幅方向の断面形状は、円形、楕円形、角が丸い四角形等にすることができる。本発明で用いるフィルタは公知の材質及び構造のものであり、厚み、高さ（長さ）、幅（直径）等はガス発生器に応じて設定される。
【００１０】
ハウジングは、略カップ状のディフューザシェルの開口部内に略カップ状のクロージャシェルの開口部が嵌め込まれた構造のものであり、ディフューザシェルの開口部近傍の内壁面と、クロージャシェルの開口部近傍の外壁面とが全周に渡って接触されており、前記接触部分においてディフューザシェルとクロージャシェルが溶接一体化されている。
【００１１】
このようにディフューザシェルの開口部内にクロージャシェルの開口部が嵌め込まれた構造であることから、ディフューザシェル内には、クロージャシェル開口部の環状端面が位置していることになる。クロージャシェル開口部の環状端面は、クロージャシェル自体の厚みと同じでもよいし、フィルタを支持させるために、クロージャシェルの他の部分よりも少し厚めにしてもよい。例えば、クロージャシェル開口部の周縁の全部又は一部を内側又は外側に折り曲げることで、他の部分よりも厚めの環状端面を形成してもよい。
【００１２】
本発明では、クロージャシェル開口部の環状端面にてフィルタ端面の一方を支持することで、別途、リテーナのような支持部材を用いることなく、フィルタの厚みを変えずにフィルタの高さをディフューザシェルの高さと同程度にできるため、フィルタ量を減少できる。そして、前記ディフューザシェルのガス排出口を有する周壁部と前記フィルタの外周面の間には環状空間を有しているため、フィルタ全域にて濾過及び冷却機能が発揮される。一方、特許文献１のように環状の切り欠き部においてイニシエータシェル１とクロージャシェル２が嵌合されている場合、イニシエータシェル１の環状端面に相当する部分では、フィルタ他端面との接触面積が小さくなってフィルタを支持することが難しく、上記のような環状空間を形成することも難しくなる。
【００１３】
なお、本発明における「環状空間」は、燃焼ガスがフィルタの全領域を通過するように作用するものであるから、同様の作用をすることができるものであれば、環状空間の全部又は一部に他の部材を配置してもよい。例えば、環状空間の全部又は一部に嵩密度が小さい（即ち、通気抵抗が小さい）部材（例えば、目の粗い積層金網）を配置してもよいし、外周面がガス排出口に接するような外径のフィルタを用い、前記フィルタの外周面近傍部分の嵩密度を小さく（即ち、通気抵抗を小さく）したものを配置してもよい。このようにすることで若干の質量増加を伴うが、フィルタの位置決めが容易になったり、半径方向へのフィルタのずれが防止されるという効果が得られる。
【００１４】
〔請求項２〕
本発明は、課題の他の解決手段として、
前記フィルタが、前記ディフューザシェルの天井面に一端面が当接され、前記ディフューザシェル開口部側の内側周面、前記クロージャシェル開口部の環状端面及び前記クロージャシェル開口部側の内側周面の３つの面に他端面が当接されることで支持されており、
前記ディフューザシェルのガス排出口を有する周壁部と前記フィルタの外周面の間に環状空間を有している、請求項１記載の車両の人員拘束装置用ガス発生器を提供する。
【００１５】
フィルタの他端面を上記したような３つの面で支持することで、クロージャシェル開口部の環状端面のみで支持した場合と比べると接触面積を大きくすることができるため、フィルタの支持強度が高められる。また、クロージャシェル開口部の環状端面の幅をより狭くすることができる（即ち、必要な耐圧性を維持できる範囲で、クロージャシェルの厚みをより薄くできる）ため、軽量化にも役立つ。更には、フィルタ他端面とクロージャシェル又はディフューザシェルとの接触面が複雑となり、燃焼ガスのショートパス防止効果も向上される。
【００１６】
前記３つの面に接するフィルタの他端面は、予め所定形状に加工しておいてもよいし、３つの面に強く押し付けることで変形させてもよいが、予め所定形状に加工しておくと、フィルタの取り付け作業と全体の組立作業が容易になる。
【００１７】
〔請求項３〕
本発明は、課題の他の解決手段として、前記フィルタが、前記ディフューザシェルの天井面と前記クロージャシェル開口部の環状端面により、上下方向から圧縮されている、請求項１又は２記載の車両の人員拘束装置用ガス発生器を提供する。
【００１８】
このようにしてフィルタが上下方向から圧縮されていると、フィルタの両端面と、ディフューザシェルの天井面とクロージャシェル開口部の環状端面との密着状態が高められる。このため、ガス発生器の作動時において、発生した燃焼ガスが、フィルタを通過せずに、フィルタ端面と、ディフューザシェルの天井面とクロージャシェル開口部の環状端面との接触面から漏れ出るショートパスの発生が防止される。また、フィルタが、がたつきなくハウジング内部に固定されるため、振動による異音の発生やフィルタのずれが防止される。
【００１９】
〔請求項４〕
本発明は、課題の他の解決手段として、
複数のガス排出口を周壁部に有する略カップ状のディフューザシェルと、該ディフューザシェルと組み合わせて外殻容器を形成する略カップ状のクロージャシェルとからなるハウジング内部に、点火装置と、該点火装置の作動により燃焼して燃焼ガスを発生させるガス発生剤と、該ガス発生剤から発生する燃焼ガスの浄化・冷却を行う略筒状のフィルタを有しているガス発生器であり、
前記ハウジングが、ディフューザシェル開口部側の内側周面の一部に、前記クロージャシェル開口部側の外側周面の一部が当接されるようにして嵌め込まれて一体化され、前記ハウジング内には、前記クロージャシェル開口部の環状端面に少なくとも一つの環状面が支持された環状リテーナが配置されており、
前記フィルタが、前記ディフューザシェルの天井面に一端面が当接され、前記環状リテーナの別の環状面に他端面が当接されることで支持されており、
前記ディフューザシェルのガス排出口を有する周壁部と前記フィルタの外周面の間に環状空間を有している、車両の人員拘束装置用ガス発生器を提供する。
【００２０】
請求項４の発明は、基本的構成は請求項１の発明と同じであり、フィルタがリテーナにより支持されている点で異なっている。そして、環状リテーナを用いてフィルタを支持していることにより、フィルタ端面との接触面積を大きくできるため、フィルタの支持強度が高められると共に、フィルタの取り付けも容易になり、ショートパスの防止効果も高められる。リテーナは、１つの環状面がクロージャシェル開口部の環状端面に支持されているものであるが、クロージャシェルの底面とは接触していない。
【００２１】
なお、本発明における「環状空間」は、燃焼ガスがフィルタの全領域を通過するように作用するものであるから、同様の作用をすることができるものであれば、環状空間の全部又は一部に他の部材を配置してもよい。例えば、環状空間の全部又は一部に嵩密度が小さい（即ち、通気抵抗が小さい）部材（例えば、目の粗い積層金網）を配置してもよいし、外周面がガス排出口に接するような外径のフィルタを用い、前記フィルタの外周面近傍部分の嵩密度を小さく（即ち、通気抵抗を小さく）したものを配置してもよい。このようにすることで若干の質量増加を伴うが、フィルタの位置決めが容易になったり、半径方向へのフィルタのずれが防止されるという効果が得られる。
【００２２】
〔請求項５〕
本発明は、課題の他の解決手段として、前記環状リテーナが、外側環状面と、前記外側環状面とは段差が付けられて形成された内側環状面を有し、前記外側環状面が前記クロージャシェル開口部の環状端面上に支持されており、少なくとも前記内側環状面上に前記フィルタの他端面が支持されている、請求項４記載の車両の人員拘束装置用ガス発生器を提供する。
【００２３】
リテーナは、上記のとおり、外側環状面と内側環状面、前記２つの面の段差部に形成された面（環状壁面）とを有するものにすることができる。このようなリテーナを用いた場合、フィルタの他端面は、内側環状面のみで支持されていてもよいが、外側環状面の一部又は全部、環状壁面及び内側環状面の３つの面に接触支持されるようにすると、支持強度やショートパスの防止効果がより高められる。前記３つの面に接するフィルタの他端面は、予め所定形状に加工しておく。なお、フィルタ周面の一部がディフューザシェルの内周壁に当接されるようにして、フィルタの固定強度を高めるようにすることもできる。
【００２４】
このようなリテーナを用いた場合、外側環状面、環状壁面及び内側環状面の３つの面とフィルタの接触面によりショートパスの防止がなされるが、環状壁面及び内側環状面により充分なショートパス防止効果が確保できるのであれば、軽量化の観点から、外側環状面は連続した環状ではなく、不連続状態（即ち、独立した複数の部分）にて環状端面に支持されていてもよい。
【００２５】
〔請求項６〕
本発明は、課題の他の解決手段として、前記フィルタが、前記ディフューザシェルの天井面と前記環状リテーナにより、上下方向から圧縮されている、請求項４又は５記載の車両の人員拘束装置用ガス発生器を提供する。
【００２６】
このようにしてフィルタが上下方向から圧縮されていると、ショートパスの防止効果がより高められる。
【発明の効果】
【００２７】
本発明のガス発生器では、燃焼ガスの濾過及び冷却をするフィルタの取付構造を改良することにより、充分な濾過及び冷却機能を維持したままフィルタ量を減少させることができるため、ガス発生器全体の小型化及び軽量化ができる。
【発明を実施するための最良の形態】
【００２８】
（１）図１、図２のガス発生器
図面により、本発明の実施の形態を説明する。図１は、本発明のガス発生器の軸方向への断面図、図２（ａ）は、図１の部分断面図、図２（ｂ）は、（ａ）とは別実施形態の部分断面図である。
【００２９】
図１においてガス発生器１０は、ディフューザシェル１２とクロージャシェル１３とを組み合わせて接合してなるハウジング１１により、外殻容器が形成されている。
【００３０】
ディフューザシェル１２は、幅方向の断面形状が円形のカップ形状であり、天板１２ａと周壁１２ｂを有し、天板１２ａと対向する側に開口部を有している。
【００３１】
ディフューザシェル１２の周壁１２ｂには、所要数のガス排出口１７が設けられ、防湿のため、アルミニウムのシールテープ１８で閉塞されている。ガス排出口１７は、単一の径を持つ複数のものであるが、異なる径を有する複数のものであってもよい。
【００３２】
ディフューザシェル１２の天板１２ａと周壁１２ｂとの境界部分には、上部環状斜面１４が設けられている。上部環状斜面１４は、平面でも曲面でもよく、ガス発生器１０の作動により、内圧の上昇を受けてハウジング１１が膨張変形したときの形状と同様の形状に設定されているため、実際のガス発生器１０の作動前後において殆ど変形しない。
【００３３】
クロージャシェル１３は、幅方向の断面形状が円形のカップ形状であり、底板１３ａと周壁１３ｂを有し、底板１３ａには点火器３２等を取り付けるための穴１３ｃを有し、底板１３ａに対向する側に開口部を有している。クロージャシェル１３の外径は、ディフューザシェル１２の内径と同程度か、僅かに小さくなるように調整されている。
【００３４】
ディフューザシェル１２とクロージャシェル１３は、ディフューザシェル１２の開口部内にクロージャシェル１３を嵌め込み、周壁１２ｂの下端部内周面に周壁１３ｂの上端部外周面を当接させた状態にて、接触部分（溶接部）１６がレーザー溶接にて接合されることで一体化されている。ハウジング１１内には、クロージャシェル１３の開口部の環状端面１３ｄが存在している。周壁１２ｂの下端部内周面と周壁１３ｂの上端部内周面との接触面積又は溶接部分の面積や溶接部分の深さは、ガス発生器に要求される耐圧性を確保できる接合強度が得られる範囲で設定される。
【００３５】
ハウジング１１内には、ガス発生器１０の作動時において濾過及び冷却機能を行う筒状フィルタ２０が配置されている。筒状フィルタ２０は公知のものであり、例えば、平編みの金網を多層に編み上げ、型内で圧縮したものや、一本の線材を連続的に何層にも巻回したものから実質的に構成される、弾性を有するものが用いられる。
【００３６】
図１、図２（ａ）に示す筒状フィルタ２０の上端面２１は傾斜面であり、上部環状斜面１４に当接されている。上端面２１は、全部が上部環状斜面１４と接触していてもよいが、一部が天板１２ａと接触していてもよい。ショートパス防止効果を高めるためには、上端面２１総面積の８０％以上が上部環状斜面１４と接していることが好ましい。
【００３７】
図１、図２（ａ）に示す筒状フィルタ２０の下端面は予め所定形状に加工されており、下端面２２ａが周壁部１２ｂの内周面に当接され、下端面２２ｂが環状端面１３ｄに当接され、下端面２２ｃが周壁部１３ｂの内周面に当接されている。
【００３８】
図２（ｂ）に示す筒状フィルタ２０は、上端面は図１のものと同じであり、下端面２２ｂが環状端面１３ｄに当接され、下端面２２ｃが周壁部１３ｂの内周面に当接されている。
【００３９】
筒状フィルタ２０は、軸方向の高さが、ほぼディフューザの周壁部１２ｂの高さに等しく、ディフューザ１２の周壁部１２ｂ（ガス排出口１７）との間に環状空間２７を有するように配置されている。この環状空間２７の作用により、発生ガスが筒状フィルタ２０の全領域を通過するようになるため、発生ガスの濾過及び冷却効果が向上される。
【００４０】
本実施形態では、外部振動による筒状フィルタ２０のずれを防止したり、燃焼ガスがフィルタ２０の上端面２１からショートパスすることを防止したりするため、円形の保持リテーナ２６が天板１２ａの内側面に当接された状態で嵌め込まれている。また、保持リテーナ２６は、ガス発生器１０の組立時において、ディフューザシェル１２とクロージャシェル１３で上下方向からフィルタ２０を挟み付けたとき、上端面２１側が内側に倒れ込むことを防止するようにも作用する。
【００４１】
ハウジング１１内には、一端が閉塞されたチューブ状部材３０が、ハウジング１１と同心円状で、保持リテーナ２６と間隙を形成するように配置されている。チューブ状部材３０はフランジ部３１を有しており、フランジ部３１が電気式点火器３２の金属カラー３３に溶接固定されている。金属カラー３３は、クロージャシェル１３の穴１３ｃに溶接固定されている。
【００４２】
チューブ状部材３０の内部空間は第１燃焼室３５となり、外部空間は第２燃焼室３６となっている。第１燃焼室３５内には、点火装置となる所要量の伝火用ガス発生剤（図示せず）及び点火薬を備えた電気式点火器３２が収容されている。
【００４３】
伝火用ガス発生剤は、点火器３２の作動により着火燃焼して、ガス発生剤２５を着火燃焼させてエアバッグ膨張媒体となるガスを発生させるためのものであるほか、それ自体の燃焼による発生ガスもエアバッグの膨張に利用されるものである。伝火用ガス発生剤としてガス発生剤２５よりも燃焼温度が高いものを用いることで、ガス発生剤２５への着火を確実に行うことができる。
【００４４】
伝火用ガス発生剤としては、燃料であるニトログアニジン、酸化剤である硝酸ストロンチウムに、更にバインダとしてカルボキシメチルセルロースのナトリウム塩、残渣捕集剤として酸性白土を混合した組成のものを使用できる。ガス発生剤２５には、燃料である硝酸グアニジン、酸化剤である塩基性酸化銅に、更にバインダーとしてカルボキシメチルセルロースのナトリウム塩、冷却剤として水酸化アルミニウムを混合した組成のものを使用できる。
【００４５】
チューブ状部材３０の周壁部には、円周方向及び軸方向のそれぞれに等間隔になるように複数の連通孔３４が設けられており、第１燃焼室３５と第２燃焼室３６は、連通孔３４により連通されている。連通孔３４は外側からアルミニウムのシールテープで閉塞されている。このような配置状態の連通孔３４を有しているため、第１燃焼室３５から生じた火炎及び高温ガスは、第２燃焼室３６内に均等に行き渡るので、ガス発生剤２５の着火性が向上される。
【００４６】
同様の効果が得られるのであれば、連通孔３４の大きさや配置状態は均等でなくてもよい。例えば、点火器３２に近い位置の連通孔３４を小さくし、逆に点火器３２に遠い位置の連通孔３４を大きくすることができ、また点火器３２から遠い位置に連通孔３４を偏在させることもできる。
【００４７】
図１、図２（ａ）に示すガス発生器１０の組立方法を説明する。まず、クロージャシェル１３の穴１３ｃに点火器３２（金属カラー３３に取り付けた状態）を溶接固定する。
【００４８】
次に、点火器３２の金属カラー３３に、伝火用ガス発生剤を入れたチューブ状部材３０を溶接固定する（フランジ部３１を金属カラー３３に溶接固定する）。この状態でクロージャシェル１３の環状端面１３ｄ上に筒状フィルタ２０を嵌め込む。
【００４９】
次に、クロージャシェル１３、筒状フィルタ２０及びチューブ状部材３０で囲まれた状態の第２燃焼室３５に所要量のガス発生剤２５を充填し、その上から保持リテーナ２６を被せて、最後にディフューザシェル１２をクロージャシェル１３の外側に嵌め込む。そして、ディフューザシェル１２をクロージャシェル１３方向に押さえつけて、筒状フィルタ２０を軸方向にわずかに圧縮した状態で、溶接部１６にてレーザー溶接する。
【００５０】
このようにハウジング１１内部に筒状フィルタ２０を取り付けることで、上部環状斜面１４がフィルタの上端面２１に強く当接される。筒状フィルタ２０は軸方向に圧縮された状態で配置されているため、その反発力で、上部環状斜面１４及び環状端面１３ｄが強く押されることになる。これによって、上部環状斜面１４と上端面２１と、環状端面１３ｄ及びその隣接した面と下端面２２ａ〜２２ｃとの接触面からの燃焼ガスのショートパスが防止される。
【００５１】
なお、環状端面１３ｄは平坦面であるが、環状端面１３ｄが凸部（尖った部分）を有するような形状にして、筒状フィルタ２０を軸方向に圧縮したとき、筒状フィルタ２０の下端面が前記した尖った部分に食い込むようにしてもよい。
【００５２】
また上部環状斜面１４は、ガス発生器１０の作動により生じる膨張変形後の形状と同様の形状に設定されているため、筒状フィルタ２０の上端面２１の当接状態が変化せず、筒状フィルタ２０の上端面２１のシール性能が維持される。
【００５３】
次に、図１、図２（ａ）により、本発明のガス発生器を自動車のエアバッグ装置に組み込んだ場合の動作を説明する。
【００５４】
自動車が衝突したとき、衝撃センサからの指令を受け、点火器３２が作動して、第１燃焼室３５内の伝火用ガス発生剤を着火燃焼させ、火炎及び高温ガスを発生させる。火炎及び高温ガスは、チューブ状部材３０に設けられた複数の連通孔３４（連通孔３４を閉塞しているシールテープは破裂する）から第２燃焼室３６内に噴射され、ガス発生剤２５を着火燃焼させ、エアバッグ膨張媒体となるガスを発生させる。
【００５５】
燃焼ガスは、筒状フィルタ２０の全面を通過する際に濾過及び冷却され、シールテープ１８を破ってガス排出口１７から排出され、エアバッグを膨張させる。
【００５６】
このとき、図１で示すガス発生器１０の上部環状斜面１４は変形せず、また燃焼ガスの通過で筒状フィルタ２０は外へ向かって膨らもうとするが、その力で傾斜している筒状フィルタ２０の上端面２１が上部環状斜面１４に強く押し付けられ、この間からのガスのショートパスが防止される。また、フィルタ下端面２２ａ〜２２ｃにおいても、下端面２２ａ、下端面２２ｃがそれぞれディフューザシェル周壁面１２ｂの内面及びクロージャシェル周壁面１３ｂの内面に押し付けられるため、燃焼ガスのショートパスが防止される。
【００５７】
（２）図３、図４のガス発生器
図３のガス発生器１００は、図１のガス発生器１０と筒状フィルタの取り付け構造が異なるものの縦断面図、図４（ａ）は、図３の部分断面図、図４（ｂ）は、（ａ）とは別実施形態の部分断面図である。図３のガス発生器１００では、環状リテーナ６０に筒状フィルタ１２０又はフィルタ１３０が支持されていることが、図１のガス発生器１０とは異なる。図１と同一番号は同一のものであることを意味する。
【００５８】
環状リテーナ６０は、外側環状面６１と、外側環状面６１とは段差が付けられて形成された内側環状面６３を有し、外側環状面６１と内側環状面６３との間には、ほぼ垂直壁面である環状壁面６２を有している。
【００５９】
環状リテーナ６０は、ディフューザシェル１２の内径と同程度の外径を有するもので、外側環状面６１が、その先端部が周壁１２ｂの内周面に当接された状態で環状端面１３ｄ上に当接されていると共に、環状壁面６２が周壁１３ｂの内周面に当接されることで支持されている。
【００６０】
図４（ａ）で示す筒状フィルタ１２０の下端面は予め所定形状に加工されており、下端面１２０ａが外側環状面６１の一部面に当接され、下端面１２０ｂが環状壁面６２に当接され、下端面１２０ｃが内側環状面６３に当接されることで支持されている。
【００６１】
図４（ｂ）で示す筒状フィルタ１３０は、下方に環状突出部１３１を有しており、環状突出部１３１の外周部１３１ａが周壁１２ｂの内周面に押し付けられている。筒状フィルタ１３０の下端面は予め所定形状に加工されており、下端面１３０ａが外側環状面６１に当接され、下端面１３０ｂが環状壁面６２に当接され、下端面１３０ｃが内側環状面６３に当接されることで支持されている。
【００６２】
このような環状リテーナ６０を用いると、筒状フィルタ１２０、１３０の取付が容易であるほか、環状リテーナ６０と筒状フィルタ１２０、１３０の接触面積が大きくなるので、ショートパス防止効果も高められる。
【図面の簡単な説明】
【００６３】
【図１】本発明のガス発生器の縦断面図。
【図２】（ａ）は図１の部分断面図、（ｂ）は別実施形態の部分断面図。
【図３】本発明の別実施形態であるガス発生器の縦断面図。
【図４】（ａ）は図４の部分断面図、（ｂ）は別実施形態の部分断面図。
【符号の説明】
【００６４】
１０、１００  ガス発生器
１１  ハウジング
１２  ディフューザシェル
１３  クロージャシェル
１７  ガス排出口
２０、１２０、１３０  筒状フィルタ
２５  ガス発生剤
６０  環状リテーナ
【図１】
2007253666.tif 000003
【図２】
2007253666.tif 000004
【図３】
2007253666.tif 000005
【図４】
2007253666.tif 000006